(57)【要約】【課題】風が吹いてもタイルが動かないように強固に固定し易いし、しかも、タイルを取り替える等の補修を施工し易いタイルの敷設方法を提供する。【解決手段】敷設面１４にホットメルト接着剤４２と金属箔４１からなる接着シートを敷き、この上にタイル６を並べ、タイル６の上方から高周波発生装置５で金属箔４１を高温にしてホットメルト接着剤４２を溶融させて、タイル６を敷設面１４に接着させる。【選択図】　図１
2004068413.tif 000002
【特許請求の範囲】
【請求項１】
敷設面にホットメルト接着剤と金属箔からなる接着シートを敷き、この接着シートの上にタイルを並べ、タイルの上方から高周波発生装置で金属箔を高温にしてホットメルト接着剤を溶融させてタイルを敷設面に接着することを特徴とするタイルの敷設方法。
【請求項２】
敷設面に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの通孔から敷設面に流れ込ませてタイルを敷設面に接着することを特徴とするタイルの敷設方法。
【請求項３】
敷設面に防水シートを敷き、この防水シートを敷設面に固定し、この防水シートの上に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの通孔から防水シートの上面に流れ込ませてタイルを防水シートに接着することを特徴とするタイルの敷設方法。
【請求項４】
前記敷設面が陸屋根の上面であることを特徴とする請求項１〜３のいずれかに記載のタイルの敷設方法。
【発明の詳細な説明】
【０００１】
【発明の属する技術分野】
本発明はタイルの敷設方法に関する。
特に、陸屋根の上面にタイルを敷設するのに好適なタイルの敷設方法に関する。
【０００２】
【従来の技術】
従来、陸屋根の上面や玄関や玄関ポーチの上面や壁面等の敷設面にタイルを敷設する方法は、敷設面に未硬化のセメントモルタル層を設けた後に、この未硬化のセメントモルタル層の上にタイルを並べて接着し、未硬化のセメントモルタル層を硬化させて、タイルを敷設面に固定していた。
【０００３】
又、特開２００２−８６４３３号公報の従来の技術の項に記載されているように、板状の敷設面に有機系接着剤やセメントモルタル等の常温で接着する接着剤を塗布し、この接着剤の上にタイルを並べて接着し、接着剤を硬化させてタイルを固定してタイルパネルを製造し、このタイルパネルをビルや住宅等の外壁や屋根等に取り付ける方法も知られている。
【０００４】
一方、陸屋根の防水方法としては、特開平１０−１５２９４７号公報に記載あるように、陸屋根の上面に断熱材、硬質塩化ビニル樹脂発泡体からなる歩行用支持板や絶縁材等の下地材をアンカーボルトで固定して敷設面とし、この敷設面に使用したアンカーボルトの頂部にディスク板を取り付け、この敷設面とディスク板の上に軟質塩化ビニル系樹脂の防水シートを敷き、ディスク板と防水シートとを接着剤で接着して固定する方法が知られている。
【０００５】
【発明が解決しようとする課題】
しかし、セメントモルタルでタイルを接着するタイルの敷設方法や、上記特開２００２−８６４３３号公報に記載されているタイルパネルを取り付けるタイルの敷設方法では、タイルが敷設面にセメントモルタルや有機系の接着剤等の常温で接着する接着剤によって強固に固定されているために、タイルが割れたときに、このタイルを剥がして新しいタイルに取り替えたりする等の補修を施工し難いし、接着剤やモルタルが劣化したときに、タイルが剥がれるという問題がある。
【０００６】
特に、セメントモルタルでタイルを取り付ける敷設方法では、セメントモルタルでタイルを敷設面に接着し難いために、タイルと隣接するタイルの間に隙間（目地）を設け、この隙間にセメントモルタルを充填して、接着し易くしているが、施工が困難で、略同じ幅の隙間を設けて美麗に仕上げるためには、熟練した人が必要であった。
【０００７】
又、陸屋根の上面に防水シートを固定した陸屋根であると、防水シートの上を人が歩くと、防水シートが痛むために、陸屋根の上を人が歩くことができないという問題がある。
従って、この防水シートの上を歩くことができるように、防水シートの上にタイルを敷設したいが、防水シートを常温で接着する接着剤で接着すると、上記と同様に、補修を施工し難いし、接着剤が劣化してタイルが剥がれ易いという問題がある。
【０００８】
そこで、この防水シートの上にタイルを接着剤で接着せずに、単に並べて敷設しようとしたが、風が吹くと風圧力（吹き上げ力）によってタイルが飛ばされる恐れがあるし、飛ばされないように、タイル同士を密着させて敷設すると、タイルが動いてずれたり、動くときに生ずるきしみ音が発生するという問題があるので、かかるタイルの敷設方法は採用できない。
そこで、本発明の目的は、風が吹いてもタイルが動かないように強固に固定し易く、しかも、タイルを取り替える等の補修を施工し易いタイルの敷設方法を提供することである。
【０００９】
【課題を解決するための手段】
本発明は上記目的を達成するためになしたものであって、請求項１記載の発明は、敷設面にホットメルト接着剤と金属箔からなる接着シートを敷き、この接着シートの上にタイルを並べ、タイルの上方から高周波発生装置で金属箔を高温にしてホットメルト接着剤を溶融させてタイルを敷設面に接着するものである。
【００１０】
請求項２記載の発明は、敷設面に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの通孔から敷設面に流れ込ませてタイルを敷設面に接着するものである。
【００１１】
請求項３記載の発明は、敷設面に防水シートを敷き、この防水シートを敷設面に固定し、この防水シートの上に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの通孔から防水シートの上面に流れ込ませてタイルを防水シートに接着するものである。
【００１２】
請求項４記載の発明は、請求項１〜３のいずれかに記載の発明に係り、前記敷設面が陸屋根の上面であるものである。
【００１３】
本発明に使用する接着シートはホットメルト接着剤と金属箔からなり、高周波発生装置で高温になった金属箔の熱でホットメルト接着剤が溶融し、この溶融したホットメルト接着剤で上方のタイルと下方の敷設面や防水シートとを接着するものである。
従って、高周波発生装置で高温になっている金属箔の熱で溶融したホットメルト接着剤が金属箔の両側に存在するようにするする必要がある。そのために、金属箔の両側にホットメルト接着剤層を設けるか、金属箔の一方にホットメルト接着剤を設ける場合には、金属箔に通孔を設けて、反対側にホットメルト接着剤が流れ出るようにする必要がある。
【００１４】
この際に使用する金属箔としては、金属製の薄膜であればよいが、鉄系の薄膜が高周波発生装置で高温にし易いので好ましい。
又、ホットメルト接着剤とは、ポリエチレン樹脂等の熱可塑性樹脂と粘着付与剤を主成分とし、高温になると溶融し、周囲のものに接着する性質を有するもので、常温で接着する接着剤より耐久性がよく、しかも、強固に接着する。そして、この周囲のものに強固に接着しているホットメルト接着剤を高温にするとホットメルト接着剤が溶融し、周囲のものを剥がすことができる性質を有するものである。
【００１５】
本発明に使用する高周波発生装置とは、電流を通したときに発生する高周波の磁力線によって、この高周波発生装置の近傍に存在する金属材料の内部に誘導電流を発生させて、金属材料を高温にするものである。このように、この高周波発生装置を使用すると、高周波発生装置から離れた場所にある金属材料を高温にすることができるのである。
【００１６】
従って、本発明のように、タイルの下側にホットメルト接着剤と金属箔からなる接着シートを敷き、タイルの上方に高周波加熱装置を位置させ、タイルの上方の高周波加熱装置に電流を通すと、タイルの下方にある金属箔の中に誘導電流が発生し、金属箔が高温になる。この高温になった金属箔の熱によってホットメルト接着剤が溶融し、タイルとその下側の物質（請求項１記載の発明では敷設面、請求項２記載の発明ではベースシートと敷設面、請求項３記載の発明ではベースシートと防水シート）とを強固に接着させることができるのである。
【００１７】
又、このホットメルト接着剤でタイルとその下側の物質とが接着しているときに、タイルの上方から、高周波加熱装置で金属箔を高温にすると、ホットメルト接着剤が溶融し、タイルを剥がすことができる。
本発明においては、タイルの上方から高周波発生装置で金属箔を高温にしているが、これは、高周波発生装置をタイルの上の載せた状態で金属箔を高温にしてもよいし、タイルから若干離れた上方の位置から金属箔を高温にしてもよいことを意味している。
【００１８】
この際、タイルが、例えば、縦、横が３００ｍｍのように大きく、しかも、高周波発生装置の高周波発生面が小さくて、高周波発生装置で１枚のタイルの下方にあるタイルと略同じ大きさの接着シートのホットメルト接着剤全体を溶融し難い場合には、高周波発生装置で一度に加熱できる大きさのホットメルト接着剤を有する接着シート、例えば、縦、横が１００ｍｍの接着シートを使用し、この接着シートをタイルの下方の所々に敷き、この上にタイルを並べ、この接着シートに対峙するタイルの上方から高周波発生装置で接着シートのホットメルト接着剤全体を溶融するようにすると、タイルが良好に接着できるので好ましい。
又、４枚のタイルの角が１点で接合したり、２枚のタイルの辺が一線で接合する状態にタイルを並べるときには、この４枚のタイルの接合した角や２枚のタイルの接合した扇の下方に接着シートを敷くと、４枚のタイルや２枚のタイルを同時に接着させることができるので好ましい。
【００１９】
請求項１〜３に記載の発明における敷設面とは、タイルを敷設しようとする面のことであって、玄関や玄関ポーチや壁や陸屋根等の表面ようにタイルを敷設しようとする面であってもよいし、特開２００２−８６４３３号記載の発明のようなタイルパネルにする板体の表面であってもよいが、請求項４記載の発明のように陸屋根の上面であると、本発明の特徴を十分に発揮させることができので、陸屋根の上面が好適な敷設面である。
【００２０】
この際の陸屋根の上面とは、陸屋根のタイルを敷設しようとする表面のことであって、陸屋根を構成するスラブや合板等の屋根下地材等の上面であってもよいし、この屋根下地材の上に設けた発泡スチレン板のような断熱材や歩行者の荷重を受けるフレキシブルボートや繊維強化セメント板等のような不燃材等の上面であってもよい。
【００２１】
請求項２記載の発明及び請求項３記載の発明に使用する上下に貫通し、且つ、下側の口径が上側より大きい通孔を有するベースシートは、タイルを敷設面に強固に固定させるために設けるものである。
【００２２】
即ち、このベースシートの上に接着シートを敷き、この接着シートの上にタイルを並べ、このタイルの上方から高周波発生装置で接着シートの中の金属箔を高温にすると、この金属箔の熱によって接着シートのホットメルト接着剤が溶融し、この溶融したホットメルト接着剤が通孔の中に流れ込んで敷設面や防水シートに接着してタイルが敷設面や防水シートに接着されるが、この際、ベースシートの通孔の下側の口径が上側より大きいと、この通孔の中に充満し固化したホットメルト接着剤の下側の径が防水シートの上側の口径より大きくなり、ホットメルト接着剤がベースシートから外れ難い形状になる。その結果、タイルがベースシートに強固に固定されるし、ホットメルト接着剤は劣化し難いが、このホットメルト接着剤が劣化しても、タイルが剥がれなくなるのである。
【００２３】
請求項２記載の発明や請求項３記載の発明では、このベースシートは敷設面や防水シートの上に敷いているが、これは敷設面や防水シートの上にベースシートを単に並べて敷いてもよいし、ベースシートを敷設面や防水シートの表面に接着剤で接着したり、熱を加えて融着させる等して固定してもよい。本発明においては、特に、固定させることが好ましい。
【００２４】
ベートシートは上記のような作用するものであるから、材質としてはホットメルト接着剤が加熱される温度に耐えるものであれば使用できるが、防水シートの上に設け、且つ、防水シートに接着させる場合には、防水シートと略同じ材質にすると、接着剤で接着したり熱で融着させ易いので好ましい。
請求項３記載の発明に使用する防水シートとは、敷設面を構成するスラブに発生する亀裂や合板の継ぎ目等から雨水が漏れないように、敷設面の上に敷いて、雨水等が建物の中に浸入しないようにする防水するシートであって、軟質塩化ビニル系樹脂シートが好適である。
【００２５】
（作用）
請求項１記載の発明では、敷設面にホットメルト接着剤と金属箔からなる接着シートを敷き、この接着シートの上にタイルを並べ、タイルの上方から高周波発生装置で金属箔を高温にしてホットメルト接着剤を溶融させてタイルを敷設面に接着する。
【００２６】
この請求項１記載のタイルの敷設方法の一例を示しながら作用を説明する。
即ち、先ず、敷設面に接着シートを敷く。
次に、この接着シートの上にタイルを並べる。
次に、このタイルの上に高周波発生装置を置き、この高周波発生装置に電流を通す。尚、この際、高周波発生装置を手に持ってタイルの上方に保持させてもよい。
【００２７】
すると、高周波発生装置から高周波の磁力線が発生し、接着シートの金属箔の中に誘導電流が流れて金属箔が高温になる。
この高温になった金属箔の熱によってホットメルト接着剤が溶融し、このホットメルト接着剤がタイルと敷設面に融着する。
十分にホットメルト接着剤がタイルと敷設面に融着すると、高周波発生装置の電流を止める。
【００２８】
しばらくして、溶融しているホットメルト接着剤が冷却して固化すると、タイルが敷設面に強固に接着する。
このようにタイルが敷設面に強固に接着しているので、風が吹いてもタイルが剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、このような隙間を設ける必要がなく、施工し易いく、熟練した人でなくとも美麗に仕上げることができる。
又、ホットメルト接着剤は劣化し難いので、長期間経過しても、タイルが剥がれ難い。
【００２９】
そして、この接着しているタイルが割れたりして、タイルを取り替えたいときには、取り替えたいタイルの上方から高周波発生装置で、取り替えたいタイルの下方にある金属箔を高温にし、ホットメルト接着剤を溶融して、取り替えたいタイルを剥がし、その後、このタイルを剥がした場所に新しいタイルを置き、この新しいタイルの上方から高周波発生装置で、再び、金属箔を高温にしてホットメルト接着剤を溶融して、新しいタイルを敷設面に接着すると、タイルを簡単に取り替えることができる。
【００３０】
請求項２記載の発明では、敷設面に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上から高周波発生装置で金属箔を高温にしてホットメルト接着剤を溶融させ、この溶融したホットメルト接着剤をベースシートの通孔から敷設面に流れ込ませてタイルを敷設面に接着する。
【００３１】
この請求項２記載のタイルの敷設方法の一例を示しながら作用を説明する。
即ち、先ず、敷設面にベースシートを敷く。
このベースシートを敷設面に固定することが好ましい。
次に、このベースシートの上に接着シートを敷く。
次に、この接着シートの上にタイルを並べる。
次に、このタイルの上方に高周波発生装置を保持し、この高周波発生装置に電流を通す。
【００３２】
すると、高周波発生装置から高周波の磁力線が発生し、接着シートの金属箔の中に誘導電流が流れて金属箔が高温になる。
この高温になった金属箔の熱によってホットメルト接着剤が溶融し、タイルに融着すると同時に、このホットメルト接着剤がベースシートの貫通孔の中に流れ込んで、敷設面に到達し、ベースシートと敷設面に融着する。
十分にホットメルト接着剤が溶融し、タイルとベースシートと敷設面に融着すると、高周波発生装置の電流を止める。
【００３３】
しばらくして、溶融しているホットメルト接着剤が冷却して固化すると、タイルが敷設面に強固に接着する。
又、通孔の中に流れ込み、通孔の中に充満して固化したホットメルト接着剤の下側の径がベースシートの通孔の上側の口径より大きく、ホットメルト接着剤がベースシートから外れ難い形状になっている。
【００３４】
このようにホットメルト接着剤でタイルが敷設面に接着されるし、ホットメルト接着剤がベースシートから外れ難い形状になっているので、タイルが敷設面に強固に固定されるし、ホットメルト接着剤は劣化し難いが、ホットメルト接着剤が劣化しても、タイルが剥がれない。
このようにタイルが固定されているので、風が吹いてもタイルが剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、このような隙間を設ける必要がなく、施工し易く、熟練した人でなくとも美麗に仕上げることができる。
【００３５】
又、タイルが割れたりして、タイルを取り替えたいときには、取り替えたいタイルの上方から高周波発生装置で、取り替えたいタイルの下方にある金属箔を高温にして、ホットメルト接着剤が溶融して、取り替えたいタイルを剥がし、その後、このタイルを剥がした場所に新しいタイルを置き、この新しいタイルの上方から、再び、高周波発生装置でホットメルト接着剤を溶融して、新しいタイルを敷設面に接着して、タイルを簡単に取り替えることができる。
【００３６】
請求項３記載の発明では、敷設面に防水シートを敷き、この防水シートを敷設面に固定し、この防水シートの上に上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの貫通孔から防水シート面に流れ込ませてタイルを防水シートに接着する。
【００３７】
この請求項３記載のタイルの敷設方法の一例を示しながら作用を説明する。
即ち、先ず、敷設面に接着剤を塗布し、この上に防水シートを敷いて接着させり、防水シートが熱可塑性樹脂であれば、当接面を加熱して融着させて敷設面に付着させる等して固定したり、防水シートを敷いてこの上から敷設面に螺入したビスや打ち込んだ釘等の固定具で防水シートを固定する。
次に、この防水シートの上にベースシートを敷く。
この際、ベースシートを防水シートに固定することが望ましい。
【００３８】
次に、このベースシートの上に接着シートを敷く。
次に、この接着シートの上にタイルを並べる。
次に、このタイルの上方に高周波発生装置を保持し、この高周波発生装置に電流を通す。
すると、高周波発生装置から高周波の磁力線が発生し、接着シートの金属箔の中に誘導電流が流れて金属箔が高温になる。
【００３９】
この高温になった金属箔の熱によってホットメルト接着剤が溶融し、タイルに融着すると同時に、このホットメルト接着剤がベースシートの貫通孔の中に流れ込んで、防水シートの上面に到達し、ベースシートと防水シートの上面に融着する。
十分にホットメルト接着剤が溶融し、タイルとベースシートと防水シートの上面に融着すると、高周波発生装置の電流を止める。
【００４０】
しばらくして、溶融しているホットメルト接着剤が冷却して固化すると、タイルが防水シートに強固に接着する。
この防水シートは敷設面に固定されているので、タイルは敷設面に強固に取り付けられることになる。
又、通孔の中に流れ込み、通孔の中に充満した状態で固化したホットメルト接着剤の下側の径がベースシートの通孔の上側の口径より大きく、ホットメルト接着剤がベースシートから外れ難い形状になっている。
【００４１】
このようにホットメルト接着剤でタイルが敷設面に接着されるし、ホットメルト接着剤がベースシートに外れ難い形状になっているので、タイルが敷設面に強固に固定されるし、ホットメルト接着剤は劣化し難いが、ホットメルト接着剤が劣化しても、タイルが剥がれない。
このようにタイルが固定されているので、風が吹いてもタイルが剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、このような隙間を設ける必要がなく、施工し易く、熟練した人でなくとも美麗に仕上げることができる。
【００４２】
このようにしてタイルを敷設すると、タイルと敷設面との間に防水シートがあり、敷設面の防水が完全なる。
又、タイルが割れたりして、タイルを取り替えたいときには、取り替えたいタイルの上方から高周波発生装置で、取り替えたいタイルの下方にある金属箔を高温にし、ホットメルト接着剤を溶融して、取り替えたいタイルを剥がし、その後に、このタイルを剥がした場所に新しいタイルを置き、この新しいタイルの上から、再び、高周波発生装置でホットメルト接着剤を溶融して、新しいタイルを防水シートに接着して、タイルを簡単に取り替えることができる。
【００４３】
請求項４記載の発明では、敷設面が陸屋根の上面であるものであるので、陸屋根の上にタイルを強固に取り付けることができ、陸屋根の上を歩行し易くなるし、風等でタイルが飛ばされることがないし、タイルを補修し易い。
【００４４】
【発明の実施の形態】
次に、本発明の実施の形態を実施例で説明する。
図１〜図３は本発明の一実施例を示すもので、図１はタイル敷設方法を示すもので、（イ）は敷設面に防水シートを設けている状態を示す斜視図、（ロ）はベースシートを敷いている状態を示す斜視図、（ハ）は接着シートを敷き、タイルを並べている状態を示す斜視図、（ニ）は高周波発生装置で金属箔を加熱している状態を示す斜視図、（ホ）は（ニ）のＡ−Ａ線における断面図、（ヘ）はタイルを取り付けた状態を示す断面図、図２（イ）はベースシートを示す斜視図、（ロ）は（イ）のＢ−Ｂ線における断面図、図３（イ）は接着シートを示す斜視図、（ロ）は（イ）のＣ−Ｃ線における断面図である。
【００４５】
図１〜図３において、１は陸屋根であり、この陸屋根１は、厚みが略１００ｍｍのＡＬＣ製の屋根下地材１１と、この屋根下地材１１の上面に設けられた発泡ポリスチレン板状体の断熱材１２と、この断熱材１２の上に設けられた軽石とサンドアッシを主成分し、両面をガラス繊維で補強した下地不燃板１３とからなる。
【００４６】
この断熱材１２の上面は、雨水が一方に流れ易くするために、勾配が略１／１００の傾斜面になっている。
そして、この実施例では、下地不燃板１３の上にタイルを敷設するので、この下地不燃板１３の上面が敷設面１４となっている。
２は厚みが略２ｍｍの軟質塩化ビニール系樹脂シートの防水シートである。
【００４７】
３は厚みが略７ｍｍ、縦、横が略１００ｍｍのベースシートであり、図２に示すように、上面から下面に貫通した複数個の通孔３１が設けられている。
この通孔３１は下側の口径が上側より大きくなっている。
４は厚みが略５ｍｍ、縦、横が略１００ｍｍの接着シートであり、この接着シート４は、図３に示すように、鉄製の金属箔４１の両側にポリエチレン樹脂と接着樹脂とからなるホットメルト接着剤層４２が設けられたものである。
【００４８】
５は高周波発生装置であり、この高周波発生装置５は、本体５１と高周波発生面５２と把手５３とからなり、本体５１の内部には高周波発生機が内蔵されていて、導線５４から供給される電流により高周波発生面５２から強力な高周波の磁力線が発生するようになっている。
６は厚みが略５ｍｍ、縦、横が略３００ｍｍのタイルであり、接着シート４で強固に接着するように、裏面には、凹凸面が形成されている。
【００４９】
次に、この敷設面１４にタイル６を敷設する方法および作用について説明する。
先ず、屋根下地材１１の上に接着剤を塗布し、この上に、断熱材１２を設置して、断熱材１２を屋根下地材１１に接着し、この断熱材１２の上に接着剤を塗布し、この上に下地不燃板１３を設置し、固定して敷設面１４を形成する。
このように、下地不燃材１３を設けると、陸屋根の上を人が歩いても断熱材１２が凹むことがなく歩き易くなる。
【００５０】
次に、この敷設面１４に接着剤１５を塗布し、図１（イ）に示すように、この上に防水シート２を敷いて防水シート２を敷設面１４に接着させて固定する。
このように、防水シート２を設けると、敷設面１４の防水が完全なる。
次に、この防水シート２の上にベースシート３を敷く。
この際、図１（ロ）に示すように、防水シート２とベースシート３の当接面にヒートガン７で熱風を吹きつけて、防水シート２とベースシート３の当接面を溶融しながら防水シート２にベースシート３を押し付けて融着する。
【００５１】
次に、図１（ハ）に示すように、このベースシート３の上に接着シート４を敷く。
尚、このベースシート３と接着シート４は、図１（ハ）に示すように、４枚のタイルの角部が突き当たる位置の下方に敷く。
次に、この接着シート４の上にタイル６を並べる。
この実施例では、このようにタイル６を密着させて並べるので、タイル６を接着シート４の上に並べ易い。
次に、図１（ニ）、（ホ）に示すように、把手５３を手で持って、高周波発生装置５の高周波発生面５３をタイル６の上方に保持し、この高周波発生装置５に電流を通す。
【００５２】
すると、高周波発生装置５の高周波発生面５２から高周波の磁力線が発生し、接着シート４の金属箔４１の中に誘導電流が流れて金属箔４１が高温になる。
この高温になった金属箔４１の熱によってホットメルト接着剤４２が溶融し、タイル６の下面に融着すると同時に、このホットメルト接着剤４２がベースシート３の通孔３１の中に流れ込んで、防水シート２の上面に到達し、ベースシート３と防水シート２の上面に融着する。
【００５３】
十分にホットメルト接着剤４２が溶融し、タイル６の下面とベースシート３と防水シート２の上面に融着すると、高周波発生装置５の電流を止める。
しばらくして、溶融しているホットメルト接着剤が冷却して固化すると、タイル６が防水シート２に強固に接着する。
この防水シート２は敷設面１４に固定されているので、タイル６は敷設面１４に強固に取り付けられることになる。
【００５４】
又、ベースシート３の通孔３１の中に流れ込み、通孔３１の中に充満した状態で固化したホットメルト接着剤４２では、下側の径がベースシート３の上側の口径より大きく、ホットメルト接着剤４２がベースシート３から外れ難い形状になっている。
このようにホットメルト接着剤４２でタイル６が敷設面１４に接着されているし、ホットメルト接着剤４２がベースシートに外れ難い形状になっているので、タイル６が敷設面１４に強固に固定されるし、ホットメルト接着剤４２は劣化し難いが、ホットメルト接着剤４２が劣化しても、タイル６が剥がれない。
【００５５】
このようにタイル６が固定されているので、風が吹いてもタイル６が剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、この実施例では、この隙間を設ける必要がなく、施工し易く、熟練した人でなくとも美麗に仕上げることができる。
このようにしてタイル６を敷設した陸屋根では、防水シート２があるので雨水が漏れることがないし、タイルが敷設されているので、陸屋根の上を人が歩行することができる。
【００５６】
又、タイル６が割れたりして、タイル６を取り替えたいときには、取り替えたいタイル６の上方から高周波発生装置５で、取り替えたいタイル６の下方にある金属箔４１を高温にし、ホットメルト接着剤４２を溶融して、取り替えたいタイル６を剥がした後に、このタイル６を剥がした場所に新しいタイル６を置き、この新しいタイル６の上方から、再び、高周波発生装置５でホットメルト接着剤４２を溶融すると、新しいタイル６が防水シート２に接着して、タイル６を簡単に取り替えることができる。
【００５７】
【発明の効果】
請求項１記載の発明は、敷設面にホットメルト接着剤と金属箔からなる接着シートを敷き、この接着シートの上にタイルを並べ、タイルの上方から高周波発生装置で金属箔を高温にしてホットメルト接着剤を溶融させてタイルを敷設面に接着するから、タイルがホットメルト接着剤で敷設面に強固に接着され、風が吹いてもタイルが剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、このような隙間を設ける必要がなく、施工し易く、熟練した人でなくとも美麗に仕上げることができる。
【００５８】
又、ホットメルト接着剤は劣化し難いので、長期間経過しても、タイルが剥がれ難い。
又、この接着しているタイルが割れたりして、タイルを取り替えたいときには、取り替えたいタイルの上方から高周波発生装置で、取り替えたいタイルの下方にある金属箔を高温にし、ホットメルト接着剤を溶融させて、取り替えたいタイルを剥がし、その後、このタイルを剥がした場所に新しいタイルを置き、この新しいタイルの上方から、再び、この高周波発生装置でホットメルト接着剤を溶融すると、新しいタイルが敷設面に接着し、タイルを簡単に取り替えることができる。
【００５９】
請求項２記載の発明は、敷設面に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの通孔から敷設面に流れ込ませてタイルを敷設面に接着するから、ホットメルト接着剤によって、タイルが敷設面に強固に接着されし、通孔の中に流れ込んで通孔の中に充満し固化したホットメルト接着剤の下側の径がベースシートの通孔の上側の口径より大きくなっていて、ホットメルト接着剤が外れ難い形状になっていて、タイルが強固に固定されるし、ホットメルト接着剤が劣化しても、タイルが剥がれ難い。
【００６０】
このようにタイルが固定されているので、風が吹いてもタイルが剥がれることがないし、従来、セメントモルタルで敷設する際には、セメントモルタルでタイルを接着し難いために、タイルと隣接するタイルの間に隙間（目地）を設け、この隙間にセメントモルタルを充填して、接着し易くしていたが、このような隙間を設ける必要がなく、施工し易く、熟練した人がなくとも美麗に仕上げることができる。
【００６１】
又、タイルが割れたりして、タイルを取り替えたいときには、取り替えたいタイルの上方から高周波発生装置で、取り替えたいタイルの下方にある金属箔を加熱し、ホットメルト接着剤を溶融させて、取り替えたいタイルを剥がした後に、このタイルを剥がした場所に新しいタイルを置き、この新しいタイルの上方から、再び、高周波発生装置でホットメルト接着剤を溶融させて、新しいタイルを防水シートに接着して、タイルを簡単に取り替えることができる。
【００６２】
請求項３記載の発明は、敷設面に防水シートを敷き、この防水シートを敷設面に固定し、この防水シートの上に、上下に貫通し、且つ、下側の口径が上側より大きい通孔を有するベースシートを敷き、このベースシートの上にホットメルト接着剤と金属箔からなる接着シートを敷き、この接着シートの上にタイルを並べ、タイルの上方から高周波発生装置で金属箔を高温にしてホットメルト接着剤を溶融させ、この溶融したホットメルト接着剤をベースシートの貫通孔から防水シートの上面に流れ込ませてタイルを防水シートに接着するから、ホットメルト接着剤によってタイルが防水シートや敷設面に強固に取り付けられるし、通孔の中に流れ込み、通孔の中に充満した状態で固化したホットメルト接着剤の下側の径がベースシートの通孔の上側の口径より大きく、ホットメルト接着剤が外れ難い形状になっていて、タイルが強固に固定されるし、ホットメルト接着剤が劣化しても、タイルが剥がれ難い。
【００６３】
このようにタイルが固定されているので、風が吹いてもタイルが剥がれることがないし、従来、セメントモルタルで敷設する際には、セメントモルタルでタイルを接着し難いために、タイルと隣接するタイルの間に隙間（目地）を設け、この間にセメントモルタルを充填して、接着し易くしていたが、このような隙間を設ける必要がなく、施工し易く、熟練した人でなくとも美麗に仕上げることができる。
又、タイルと敷設面との間に防水シートがあるので、敷設面の防水が完全である。
【００６４】
又、タイルが割れたりして、タイルを取り替えたいときには、取り替えたいタイルの上方から高周波発生装置で、取り替えたいタイルの下方にある金属箔を加熱し、ホットメルト接着剤を溶融して、取り替えたいタイルを剥がした後に、このタイルを剥がした場所に新しいタイルを置き、この新しいタイルの上から、再び、高周波発生装置でホットメルト接着剤を溶融し、新しいタイルを防水シートに接着して、タイルを簡単に取り替えることができる。
【００６５】
請求項４記載の発明は、敷設面が陸屋根の上面であるものであるから、陸屋根の上にタイルを強固に取り付けることができ、陸屋根の上を歩行し易いし、風等でタイルが飛ばされることがないし、タイルを補修し易い。
【図面の簡単な説明】
【図１】本発明の一実施例のタイル敷設方法を示すもので、（イ）は敷設面に防水シートを設けている状態を示す斜視図、（ロ）はベースシートを敷いている状態を示す斜視図、（ハ）は接着シートを敷き、タイルを並べている状態を示す斜視図、（ニ）は高周波発生装置で金属箔を加熱している状態を示す斜視図、（ホ）は（ニ）のＡ−Ａ線における断面図、（ヘ）はタイルを取り付けた状態を示す断面図である。
【図２】（イ）はベースシートを示す斜視図、（ロ）は（イ）のＢ−Ｂ線における断面図である。
【図３】（イ）は接着シートを示す斜視図、（ロ）は（イ）のＣ−Ｃ線における断面図である。
【符号の説明】
１　　　　　　陸屋根
１４　　　　　敷設面
２　　　　　　防水シート
３　　　　　　ベースシート
４　　　　　　接着シート
４１　　　　　金属箔
４２　　　　　ホットメルト接着剤
５　　　　　　高周波発生装置
６　　　　　　タイル
【図１】
2004068413.tif 000003
【図２】
2004068413.tif 000004
【図３】
2004068413.tif 000005